(57)【要約】【課題】  蓋部材を外した際に金属の細片や粉末がゴム栓の上面に落下することはなく、また、ゴム栓の上面の露出部分の面積を小さくして注射針が直角に近い角度でゴム栓に刺さるように使用者を促すことができてゴム栓の落下防止を図ることができる薬用瓶の蓋の提供を課題とする。【解決手段】  薬用瓶１の瓶口１ａはゴム栓３によって閉塞されている。瓶口１ａには口金透孔１３を有する口金１０が巻締め固定されており、口金１０の上部には保護部材本体３０と蓋部材４０が係止されている。口金１０の口金透孔１３を形成している口金１０の内側エッジ部分１２ａは、保護部材本体３０の内側エッジ部分３２ａと、これに連設されている円盤状の保護縁部３４とによって挟持されている。【選択図】  図２
0003187611.tif 000002
【実用新案登録請求の範囲】
【請求項１】
ゴム栓によって瓶口が閉塞されている薬用瓶の蓋であって、当該瓶口に冠着可能な逆有底円筒状のアルミ等の金属薄板からなる口金と、該口金に冠着可能な逆有底円筒状の合成樹脂製の保護部材本体と、該保護部材本体の上面を覆い当該保護部材本体を介して前記口金に係止可能な円盤状の合成樹脂製の蓋部材との組み合せからなり、
前記口金は、円筒体からなる周胴部の上面に頂面板を一体的に形成することによって構成され、前記頂面板にはその中央部に円形の口金透孔が穿設され、
前記保護部材本体は、円筒体からなる周胴部の上面に頂面板を一体的に形成することによって構成され、前記頂面板にはその中央部に、前記口金透孔の直径以下の直径を有する円形の保護部材透孔が形成され、当該保護部材透孔を形成する前記保護部材本体の内側エッジ部分の下側には、当該内側エッジ部分に連設された周辺方向に延在する円盤状の保護縁部であって当該内側エッジ部分との間に位置する前記口金透孔を形成する前記口金の内側エッジ部分を前記保護部材本体の内側エッジ部分と協働して挟持する保護縁部が形成され、
前記蓋部材の下面側の中央部には、当該蓋部材を前記保護部材本体を介して前記口金上に載置させた際に、前記保護部材本体の前記保護縁部に係止可能な係止部材が設けられていることを特徴とする薬用瓶の蓋。
【請求項２】
ゴム栓によって瓶口が閉塞されている薬用瓶の蓋であって、当該瓶口に冠着可能な逆有底円筒状のアルミ等の金属薄板からなる口金と、該口金に冠着可能な逆有底円筒状の合成樹脂製の保護部材本体と、該保護部材本体の上面を覆い当該保護部材本体を介して前記口金に係止可能な円盤状の合成樹脂製の蓋部材との組み合せからなり、
前記口金は、円筒体からなる周胴部の上面に頂面板を一体的に形成することによって構成され、前記頂面板にはその中央部に円形の口金透孔が穿設され、
前記保護部材本体は、円筒体からなる周胴部の上面に頂面板を一体的に形成することによって構成され、前記頂面板の中央部の下側には、当該保護部材本体を前記口金に冠着させた際、前記口金透孔を形成する前記口金の内側エッジ部分を前記頂面板と協働して挟持する円盤状の保護縁部であって、その内周部分が前記頂面板の下側に連設されている保護縁部が形成され、当該保護縁部の前記内周部分の内側に位置する前記頂面板の中央部には、前記内周部分の直径よりも小さな直径を有する円形の保護部材透孔が形成され、
前記蓋部材の下側の中央部には、当該蓋部材を前記保護部材本体を介して前記口金上に載置させた際に、前記保護部材本体の頂面板に形成された前記保護部材透孔の周縁部であって且つ前記保護縁部の内周部分の内側に位置する前記保護部材透孔の周縁部に係止可能な係止部材が設けられていることを特徴とする薬用瓶の蓋。
【請求項３】
前記保護部材本体を構成する合成樹脂は、透明ないし半透明の合成樹脂であることを特徴とする請求項１に記載の薬用瓶の蓋。
【考案の詳細な説明】
【技術分野】
【０００１】
本考案は、注射剤等の薬液や粉末状の薬を収納する薬用瓶の瓶口に装着する薬用瓶の蓋に関するものである。
【背景技術】
【０００２】
注射剤等の薬液を収納しその瓶口が注射針の挿通可能なゴム栓によって閉塞されている
図７に示したような薬用瓶１は従来から広く使用されている。図７において、薬液２が収納されている薬用瓶１の瓶口１ａには口金１０が巻締め固定されており、その上部には蓋部材２０が係止されている。このような従来の薬用瓶の蓋の断面図を図８に示す。
【０００３】
この薬用瓶の蓋は、図８に示すように、アルミ等の軟質金属薄板によって逆有底円筒状に形成した口金１０と、前記口金１０の上半部に冠着させることのできる合成樹脂製の蓋部材２０との組み合わせによって構成されている。
【０００４】
口金１０は、適宜の高さをした周胴部１１の上面に頂面板１２を一体的に形成することによって逆有底円筒状に形成されている。
【０００５】
１３は頂面板１２の中央部に穿設した透孔であり、図９に示すように、この透孔１３を通して薬用瓶１の瓶口１ａに嵌装したゴム栓３の上面が露出できるようになっている。
【０００６】
口金１０の上面に冠着する蓋部材２０は、適宜の硬度を有する合成樹脂を用いて形成するものであり、円筒状の周胴部２１を口金１０の周胴部１１に少しだけかぶすことができるよう浅い倒皿状となるように形成している。
【０００７】
蓋部材２０の下面側の中央部には、図８，図９に示すように、口金１０の頂面板１２に穿設した透孔１３の周縁部に当接しながら折り曲げ係止することができる円筒状の固定用円筒部２３が突設されていて、この固定用円筒部２３を透孔１３に嵌合させた後、口金１０の内側から折り曲げ加圧して押し広げながら倒伏させることによって蓋部材２０を口金１０に係止させた状態にすることができる。
【０００８】
このように、口金１０に係止されている蓋部材２０は、薬液２の使用に際しては、図８，図９に示すように口金１０から外すことが出来るように構成されている。
【考案の概要】
【考案が解決しようとする課題】
【０００９】
ここで、以上説明した従来の薬用瓶の蓋においては、図８（ａ），（ｂ）に示したように口金１０の透孔１３である口金透孔１３を形成する口金の内側エッジ部分１２ａが「玉縁」状となるように折り曲げられている。これは、透孔１３の穿設時に形成される金属薄板の切断面の部分の鋭利な端縁部によって使用者が指を傷つけないようにするためと、この部分での金属薄板の強度を高めて変形を防ぐためになされる加工である。
【００１０】
このように、従来の薬用瓶の蓋においては、口金１０の口金透孔１３の部分を打ち抜いた後、内側エッジ部分１２ａを折り曲げ加工をしているために以下のような問題が生じていた。
【００１１】
先ず、打ち抜き加工後に折り曲げ加工を行なっているために、切断された内側エッジ部分１２ａの先端部に金属の切り屑の細片や粉末が付着している事がある。この内側エッジ部分１２ａに付着している金属の細片や粉末が、蓋部材２０を外した際にゴム栓３の上面に落下してしまうという事があった。このようにゴム栓３の上面に金属の細片や粉末が落下してしまった場合には、使用者は、それらを取り除いた後に注射針を刺すか、または、不良品とみなして他の薬用瓶の薬液を使用しなければならなかった。
【００１２】
さらに、内側エッジ部分１２ａを折り曲げ加工する必要があるために、口金透孔１３の直径をある程度以上の直径（略７ｍｍ以上）にする必要があり、図９（ｂ）に示したようにゴム栓３の上面も、その口金透孔１３の部分が露出してしまう。このゴム栓３の上面の露出部分は、注射針４の直径に比して十分に広いために、図１０に示したように注射針４をかなり傾けた状態でゴム栓３に刺すことが可能となってしまい、このような状態で注射針４をゴム栓に刺した場合には、ゴム栓３が薬用瓶１の内部に落下してしまうという事故も起きることがあった。
【課題を解決するための手段】
【００１３】
以上の問題を解消するために、本考案の第１の手段は、ゴム栓によって瓶口が閉塞されている薬用瓶の蓋であって、当該瓶口に冠着可能な逆有底円筒状のアルミ等の金属薄板からなる口金と、該口金に冠着可能な逆有底円筒状の合成樹脂製の保護部材本体と、該保護部材本体の上面を覆い当該保護部材本体を介して前記口金に係止可能な円盤状の合成樹脂製の蓋部材との組み合せからなり、前記口金は、円筒体からなる周胴部の上面に頂面板を一体的に形成することによって構成され、前記頂面板にはその中央部に円形の口金透孔が穿設され、前記保護部材本体は、円筒体からなる周胴部の上面に頂面板を一体的に形成することによって構成され、前記頂面板にはその中央部に、前記口金透孔の直径以下の直径を有する円形の保護部材透孔が形成され、当該保護部材透孔を形成する前記保護部材本体の内側エッジ部分の下側には、当該内側エッジ部分に連設された周辺方向に延在する円盤状の保護縁部であって当該内側エッジ部分との間に位置する前記口金透孔を形成する前記口金の内側エッジ部分を前記保護部材本体の内側エッジ部分と協働して挟持する保護縁部が形成され、前記蓋部材の下面側の中央部には、当該蓋部材を前記保護部材本体を介して前記口金上に載置させた際に、前記保護部材本体の前記保護縁部に係止可能な係止部材が設けられていることを特徴とするものである。
【００１４】
以上の問題を解消するために、本考案の第２の手段は、ゴム栓によって瓶口が閉塞されている薬用瓶の蓋であって、当該瓶口に冠着可能な逆有底円筒状のアルミ等の金属薄板からなる口金と、該口金に冠着可能な逆有底円筒状の合成樹脂製の保護部材本体と、該保護部材本体の上面を覆い当該保護部材本体を介して前記口金に係止可能な円盤状の合成樹脂製の蓋部材との組み合せからなり、前記口金は、円筒体からなる周胴部の上面に頂面板を一体的に形成することによって構成され、前記頂面板にはその中央部に円形の口金透孔が穿設され、前記保護部材本体は、円筒体からなる周胴部の上面に頂面板を一体的に形成することによって構成され、前記頂面板の中央部の下側には、当該保護部材本体を前記口金に冠着させた際、前記口金透孔を形成する前記口金の内側エッジ部分を前記頂面板と協働して挟持する円盤状の保護縁部であって、その内周部分が前記頂面板の下側に連設されている保護縁部が形成され、当該保護縁部の前記内周部分の内側に位置する前記頂面板の中央部には、前記内周部分の直径よりも小さな直径を有する円形の保護部材透孔が形成され、前記蓋部材の下側の中央部には、当該蓋部材を前記保護部材本体を介して前記口金上に載置させた際に、前記保護部材本体の頂面板に形成された前記保護部材透孔の周縁部であって且つ前記保護縁部の内周部分の内側に位置する前記保護部材透孔の周縁部に係止可能な係止部材が設けられていることを特徴とするものである。
【００１５】
ここで、上述した第１の手段と第２の手段とにおいては、前記保護部材本体を構成する合成樹脂は、透明ないし半透明の合成樹脂であってもよい。
【考案の効果】
【００１６】
本考案によれば、蓋部材を外した際に金属の細片や粉末がゴム栓の上面に落下することはなく、また、ゴム栓の上面の露出部分の面積を小さくして注射針が直角に近い角度でゴム栓に刺さるように使用者を促すことができてゴム栓の落下防止を図ることができる。
【図面の簡単な説明】
【００１７】
【図１】本考案の実施例１の構成を示す分解斜視図である。
【図２】本考案の実施例１を薬用瓶１の瓶口１ａに装着した際の構成を示す構成図であり、（ａ）は外観の斜視図、（ｂ）は断面図である。
【図３】本考案の実施例１の構成の説明図である。
【図４】本考案の実施例１の構成の説明図である。
【図５】本考案の実施例２の構成を示す分解斜視図である。
【図６】本考案の実施例２を薬用瓶１の瓶口１ａに装着した際の構成を示す構成図であり、（ａ）は外観の斜視図、（ｂ）は断面図である。
【図７】従来の薬用瓶の蓋の構成を示す斜視図である。
【図８】従来の薬用瓶の蓋の構成を示す断面図である。
【図９】従来の薬用瓶の蓋の構成の説明図である。
【図１０】従来の薬用瓶の蓋の構成の説明図である。
【考案を実施するための形態】
【００１８】
以下、図面を用いて本考案の実施例を説明する。
【実施例１】
【００１９】
図１は本考案の実施例１の構成を示す分解斜視図であり、図２は本実施例１を薬用瓶１の瓶口１ａに装着した際の構成を示すもので、図２（ａ）は外観の斜視図、図２（ｂ）は断面図である。
【００２０】
図１および図２において、瓶口１ａがゴム栓３によって閉塞されている薬用瓶１と口金１０の構成は、先に説明した従来例と同じ構成であるのでその説明は省略する。
【００２１】
図１および図２において、３０は本実施例１に係る合成樹脂製の保護部材本体であり、４０は合成樹脂製の蓋部材である。
【００２２】
保護部材本体３０は、口金１０の上部に冠着する部材であり、周胴部３１の上面に頂面板３２を一体的に形成することによって構成されている。頂面板３２の中央部には、口金１０の口金透孔１３の直径以下の直径を有する円形の保護部材透孔３３が形成されている。
【００２３】
３４は、円盤状の保護縁部であり、図２（ｂ）に示すように、保護部材透孔３３を形成する内側エッジ部分３２ａの下側に、周辺方向に延在するように内側エッジ部分３２ａに連設されているものである。この円盤状の保護縁部３４と上側の内側エッジ部分３２ａとによって、その間に存在している口金１０の内側エッジ部分１２ａは挟持された状態となっている。
【００２４】
この保護縁部３４は、保護部材透孔３３の下面側に、あらかじめ口金透孔１３に嵌合する円筒状の部材を形成しておいて、その円筒状の部材を口金透孔１３に嵌合させた状態で口金１０の内側から折り曲げ加圧して、押し広げながら円盤状となるように倒伏させることによって形成することができる。
【００２５】
蓋部材４０は、保護部材本体３０の頂面板３２を覆う円盤状の部材であり、その中央部の下面側には、図１に示したように、保護部材本体３０の保護縁部３４を介して口金１０の内側エッジ部分１２ａに係止可能な係止部材４１が形成されている。
【００２６】
以上のように構成された本実施例１によれば、図２（ｂ）に示したように、保護部材本体３０の内側エッジ部分３２ａとその下側保護縁部３４とによって、口金１０の内側エッジ部分１２ａが挟持されるように構成されているので、口金１０の内側エッジ部分１２ａに金属の細片や粉末が付着していたとしても、蓋部材４０を外す際にそれらの細片や粉末がゴム栓３の上面に落下するような事はない。ここで、以上のような構成された本実施例１においては、口金１０の内側エッジ部分１２ａの折り曲げ加工を省いても使用者の指を傷つけるような事はない。
【００２７】
また、保護部材本体３０は合成樹脂によって構成されている。従って、保護部材透孔３３の直径を自由に定めることができるので、図３に示したように、使用される注射針４の太さに応じて適当な直径に定める事ができる。従って、注射針４の太さと略同じ値に保護部材透孔３３の直径を選んでおけば、ゴム栓３に注射針４を刺す際に、略直角となるような角度で注射針４を刺すように使用者を促す事ができる。また、保護部材本体３０の頂面板の厚みを厚くしておけば、注射針４を刺す際のガイド機能をこの保護部材本体３０に付加することができる。
【００２８】
さらに、この保護部材本体３０を透明ないし半透明な合成樹脂によって構成するようにすれば、図４に示したように、口金１０の頂面板１２の上面に印刷されている表示１４を保護部材本体３０を通して外部から見えるような構成とすることができる。勿論、保護部材本体３０の頂面板３２や周胴部３１に薬液に関する事などの表示をすることもできる。
【実施例２】
【００２９】
図５は本考案の実施例２の構成を示す分解斜視図であり、図６は本実施例２を薬用瓶１の瓶口１ａに装着した際の構成を示すもので、図６（ａ）は外観の斜視図、図６（ｂ）は断面図である。
【００３０】
図５および図６において、実施例１の説明に用いた図１および図２と同一符号のものは同一のものを示しているので、その説明は省略する。
【００３１】
本実施例２が、実施例１と異なるところは、保護部材本体３０の保護縁部３４の内周部分の内側の頂面板３２の中央部に、この内周部分の直径よりも小さな直径を有する円形の保護部材透孔３３が形成されており、この内周部分の内側に位置する保護部材透孔３３の周縁部に、蓋部材４０の係止部材４１が係止するように構成されていることである。すなわち、本実施例１においては保護部材透孔３３と保護縁部３４の内周部分の径とが略同じであるのに対して、本実施例２においては保護縁部３４の内周部分の径よりも小さな値となるように保護部材透孔３３の径の値が選ばれている。なお、本実施例２においては、係止部材４１は円盤状の形状となっている。
【００３２】
本実施例２においては、以上のように構成することにより、合成樹脂製の円筒状部材を押し広げて円盤状の保護縁部３４や係止部材４１を形成する際に、係止部材４１が保護縁部３４に重ならない状態で円盤状の保護縁部３４および係止部材４１を形成することができるので、保護縁部３４と頂面板３２とによる口金１０の頂面板１２の挟持力を実施例１に比して高めることができる。
【００３３】
また、本実施例２においては、先に説明した実施例１と同様に、口金１０の内側エッジ部分１２ａの折り曲げ加工を省いても使用者の指を傷つけるような事はない。従って、本実施例２においても、口金１０の内側エッジ部分１２ａの折り曲げ加工は、施してもよいし施さなくてもよい。
【００３４】
さらに、本実施例２においては、本実施例１に比して、保護縁部３４と頂面板３２とによる口金１０の頂面板１２の挟持力を高めることができる、即ち頂面板１２に対する保護縁部３４の密着力を高めることができるので、それだけ蓋部材４０を外す際に金属の細片や粉末がゴム栓３の上面に落下しないようにする効果を、より一層高めることができる。
【符号の説明】
【００３５】
１  薬用瓶
１ａ  瓶口
２  薬液
３  ゴム栓
４  注射針
１０  口金
１１，３１  周胴部
１２，３２  頂面部
１２ａ，３２ａ  内側エッジ部分
１３  口金透孔
１４  表示
２０，４０  蓋部材
３０  保護部材本体
３３  保護部材透孔
３４  保護縁部
４１  係止部材
【図１】
0003187611.tif 000003
【図２】
0003187611.tif 000004
【図３】
0003187611.tif 000005
【図４】
0003187611.tif 000006
【図５】
0003187611.tif 000007
【図６】
0003187611.tif 000008
【図７】
0003187611.tif 000009
【図８】
0003187611.tif 000010
【図９】
0003187611.tif 000011
【図１０】
0003187611.tif 000012